(57)【特許請求の範囲】
【請求項１】
複数のアンテナと、
各アンテナ毎に接続された信号増幅装置と、各信号増幅装置毎に接続された無線送受信装置と、各無線送受信装置との間で変復調信号を入出する情報信号変復調装置と、情報信号を変復調する為の基本周波数を生成する基準動作周波数発生装置と、上記の各装置を一括して制御し、それらが正常動作を行っているかを監視する集中制御装置と、からなる多周波数無線情報通信基地局において、
各アンテナから送信される各周波数の変調信号の合成出力が、予め各信号増幅装置内部の記憶装置に格納されたしきい値を超過しない様に、各無線送受信装置毎に各変調信号に対して出力制御を行う集中制御装置内に設けられた合成出力制限装置と、
各信号増幅装置と、各無線送受信装置とに設けられた温度検出装置から各装置の温度を収集し、この温度に対して合成出力制限装置が評価値とするしきい値を変化させる補助制御装置とから構成され、
各信号増幅装置と、各無線送受信装置との組合せを自由に選択でき、常時所望の送信出力を供給できる事を特徴とした多周波数無線情報通信基地局。
【請求項２】
複数のアンテナと、各アンテナ毎に接続された信号増幅装置と、各信号増幅装置毎に接続された無線送受信装置と、各無線送受信装置との間で変復調信号を入出する情報信号変復調装置と、情報信号を変復調する為の基本周波数を生成する基準動作周波数発生装置と、上記の各装置を一括して制御し、それらが正常動作を行っているかを監視する集中制御装置と、からなる多周波数無線情報通信基地局と、
該基地局と無線通信する機能を有する複数の加入者端末と
を含む無線情報通信システムにおいて、
各アンテナから送信される各周波数の変調信号の合成出力が、予め各信号増幅装置内部の記憶装置に格納されたしきい値を超過しない様に、各無線送受信装置毎に各変調信号に対して出力制御を行う集中制御装置内に設けられた合成出力制限装置と、
各信号増幅装置と、各無線送受信装置とに設けられた温度検出装置から各装置の温度を収集し、この温度に対して合成出力制限装置が評価値とするしきい値を変化させる補助制御装置とから構成され、
各信号増幅装置と、各無線送受信装置との組合せを自由に選択でき、常時所望の送信出力を供給できる多周波数無線情報通信基地局と、
該基地局と無線接続し通信する機能を有する複数の加入者端末と
を含むことを特徴とする無線情報通信システム。
【発明の詳細な説明】
【０００１】
【発明の属する技術分野】
本発明は、ワイヤレスロ―カルル―プ用端末、基地局、基地局制御装置、および交換機から構成された加入者無線情報通信システムに関する。
【０００２】
【従来技術】
図３は従来の多周波数無線情報通信基地局の一例を示す基本的な構成図である。
【０００３】
多周波数無線情報通信基地局３００は、複数のアンテナ３０１と、該各アンテナ毎に接続された信号増幅装置３０２と、該各信号増幅回路毎に接続された無線送受信装置３０３と、該無線送受信装置との間で変復調信号を入出する情報信号変復調装置３０４と、情報信号を変復調する為の基本周波数を生成する該基準動作周波数発生装置３０５と、上記の各装置を一括して制御し、それらが正常動作を行っているかを監視する集中制御装置３０６からなる。
【０００４】
一般に多周波数無線情報通信基地局を構成する場合、該各アンテナ３０１と、該各アンテナ毎に接続された該信号増幅装置３０２と、該各信号増幅回路毎に接続された該無線送受信装置３０３と、該無線送受信装置との間で変復調信号を入出する該情報信号変復調装置３０４とを一つのブロックとし、該各アンテナから送出される送信出力の均一性を確保し、また、該各アンテナでの受信性能の品質を確保している。
【０００５】
具体的には、該各装置の個体差による送信出力のバラツキや受信性能の劣化を防ぐ為に、該各装置の単体性能による管理を行うのではなく、一つの機能ブロックとして性能管理を行う。この場合、該信号増幅装置３０２と、該無線送受信装置３０３と、そして、該情報信号変復調装置３０４とが該多周波数無線情報通信基地局３００の無線送受信性能を決定する機能ブロックとなる。この機能ブロックの性能を評価し、それを均一に保つ事で、該多周波数無線情報通信基地局３００を実現している。
【０００６】
【発明が解決しようとする課題】
しかしながら、上述した従来の該多周波数無線情報通信基地局において、その中核となる機能ブロックの一部が運用時に故障し、十分な性能が出せなくなった場合、この該多周波数無線情報通信基地局を交換しなければ、所望する性能を満たせない。これは、機能ブロックを構成する該信号増幅装置、該無線送受信装置、そして、該情報信号変復調装置は独立に動作しているが、基本的な性能を確保する為には、上記各装置の全てが揃わなければならない事を意味する。
【０００７】
従来の該多周波数無線情報通信基地局の構成では、送受信性能を維持する為の上記各装置が破損、劣化した場合には、その基地局としての全サービスを停止して、該多周波数無線情報通信基地局を交換しなけれはならないという問題点があった。
【０００８】
本発明は上述の点に鑑みてなされたもので、上記問題点を排除し、多周波数無線情報通信基地局に必要とされる機能を維持し、無線情報伝達サービスが停止してしまう様な危機的状態を排除し、安定性を向上せしめた無線情報伝達サービスを低コストに実現できる多周波数無線情報通信基地局並びに該基地局を用いた無線情報通信システムの提供を目的とするものである。
【０００９】
【課題を解決するための手段】
上記課題を解決するための本発明は、複数のアンテナと、各アンテナ毎に接続された信号増幅装置と、各信号増幅装置毎に接続された無線送受信装置と、各無線送受信装置との間で変復調信号を入出する情報信号変復調装置と、情報信号を変復調する為の基本周波数を生成する基準動作周波数発生装置と、上記の各装置を一括して制御し、それらが正常動作を行っているかを監視する集中制御装置と、からなる多周波数無線情報通信基地局において、各アンテナから送信される各周波数の変調信号の合成出力が、予め各信号増幅装置内部の記憶装置に格納されたしきい値を超過しない様に、各無線送受信装置毎に各変調信号に対して出力制御を行う集中制御装置内に設けられた合成出力制限装置と、各信号増幅装置と、各無線送受信装置とに設けられた温度検出装置から各装置の温度を収集し、この温度に対して合成出力制限装置が評価値とするしきい値を変化させる補助制御装置とから構成され、各信号増幅装置と、各無線送受信装置との組合せを自由に選択でき、常時所望の送信出力を供給できる事を特徴とした多周波数無線情報通信基地局である。
【００１０】
また、本発明は上記多周波数無線情報通信基地局と、該基地局と無線接続し通信する機能を有する複数の加入者端末を含むことを特徴とする無線情報通信システムである。
【００１１】
以上の構成により本発明では、上記手段により多周波数無線情報通信基地局の提供する無線情報伝達サービスを一瞬とも停止させる事なく、また、その送受信性能を劣化させる事なく、通信の安定性のレベルを高く維持し、低コストな無線情報伝達サービスを実現できる。
【００１２】
【発明の実施の形態】
以下本発明の実施例を図面に基づいて詳細に説明する。図１は本発明の多周波数無線情報通信基地局の基本構成を示すブロック図である。本発明は従来の複数のアンテナ１０１と、該各アンテナ毎に接続された該信号増幅装置１０２と、該各信号増幅装置１０２毎に接続された該無線送受信装置１０３と、該無線送受信装置１０３との間で変復調信号を入出する該情報信号変復調装置１０４と、情報信号を変復調する為の基本周波数を生成する該基準動作周波数発生装置１０５と上記の各装置を一括して制御し、それらが正常動作を行っているかを監視する該集中制御装置１０６からなる該多周波数無線情報通信基地局１００に、該各アンテナから送信される各周波数の変調信号の合成出力が、予め該各信号増幅装置１０２の内部の各情報記憶装置１０７に格納された"しきい値"を超過しない様に、該各無線送受信装置１０３毎に各変調信号に対して出力制御を行う該集中制御装置１０６内に設けられた合成出力制限装置１０８と、該各信号増幅装置１０２と、該各無線送受信装置１０３とに設けられた各温度検出装置１０９からの計測温度を収集し、この計測温度に対して該合成出力制限装置１０８が評価値とする"しきい値"を変化させる補助制御装置１１０とから構成され、該各信号増幅装置１０２と、該各無線送受信装置１０３との組合せを自由に選択でき、常時所望の送信出力を供給できる事を特徴とした多周波数無線情報通信基地局１００である。
【００１３】
該各信号増幅装置１０２と、該各無線送受信装置１０３とは、一般的にその多くは受動的な半導体部品により構成されている。その為、通常動作中の自己発熱や該多周波数無線情報通信基地局を取り囲む雰囲気温度の変化により、その送受信性能が大きく影響される。しかし、この温度の変化は、上記各装置の構成位置によって大きく変わるものではなく、各装置の集合単位でほぼ等しくなる。つまり、Ｎ個の該各信号増幅装置１０２の代表温度は、その平均装置温度で表す事ができる。また、Ｎ個の該各無線送受信装置１０３の代表温度も、その平均装置温度で同じく表現できる。この平均装置温度を評価値として利用すれば、該各信号増幅装置１０２と、該各無線送受信装置１０３との組合せが変更されたとしても、該多周波数無線情報通信基地局１００としての送受信性能を変化させる事にはならない。
【００１４】
或該信号増幅装置１０２と、或該無線送受信装置１０３との組合せにおいて、複数の該情報信号変復調装置１０４から供給される変調信号波の合成送信出力が規定された基準値を超過しない様に合成出力制限装置１０８がその"しきい値"に制御を加えるが、この"しきい値"の修正値の決定にも、Ｎ個の該信号増幅装置１０２の平均装置温度を用いれば、該各信号増幅装置１０２と、該各無線送受信装置１０３とがどの様な組合せになったとしても、該多周波数無線情報通信基地局１００としての送受信性能を変化させる事にはならない。
【００１５】
図２は本発明の多周波数無線情報通信基地局における評価値の流れを示す基本ブロック図である。該温度検出装置２０４は、該各信号増幅装置２０１と、該各無線送受信装置２０２と、該各情報信号変復調装置２０９と、該基準動作周波数発生装置２１０と、そして、該集中制御装置２０８とに各々に配置されている。該多周波数無線情報通信基地局２００として安定した送受信性能を供給する為には、該各信号増幅装置２０２と、該各無線送受信装置２０３とに配置された該各温度検出装置２０４の出力値を該集中制御装置２０８が収集し、その各装置ブロックの平均装置温度を算出を演算装置２０７が行い、この温度変化から適切な送受信性能が供給される様に該集中制御装置２０６で設定値変更が行われる。
【００１６】
該各信号増幅装置２０２と、該各無線送受信装置２０３との該各温度検出装置２０４から収集した温度情報を基に、装置ブロック単位での評価値としての制御値とする事で、組合せによる性能劣化がなくなる。この例では、各ブロックは４つ構成としている。
【００１７】
上述の多周波数無線情報通信基地局に加え、該基地局に無線接続し通信可能に構成した複数の加入者端末（不図示）を備え、多周波数無線情報通信基地局を基地局制御装置（不図示）に接続し、この基地局制御装置にネットワークに接続している交換機（不図示）に接続することで、ワイヤレスローカルループ（ＷＬＬ）システム等の加入者無線情報システムを構築する。
【００１８】
【発明の効果】
以上、詳細に説明したように本発明によれば、下記のような優れた効果が期待される。
（１）本発明によれば、多周波数無線情報通信基地局を構成する主要構成装置の一部が動作不能に陥ったとしても、無線情報サービスを停止させる事なく、安定した通信サービスを提供できる。
【００１９】
（２）本発明によれば、多周波数無線情報通信基地局を構成する主要構成装置をメンテナンス時に交換したとしても、本発明による基地局は性能を維持し、無線情報情報サービスに支障を与える事はない。
【００２０】
(３)本発明によれば、多周波数無線情報通信基地局の装置構成をその無線情報伝達サービスの仕様に合わせて、変更することが容易である為、送受信性能を劣化させる事なく、また、現行サービスを停止させる事なく、装置構成を自由に変更させる事が可能である。構成を変更した場合にも装置間での組合せを選ばないので、構成変更は容易である。
【図面の簡単な説明】
【図１】本発明による無線情報通信システムを説明する為の構成例を示すブロック図である。
【図２】本発明による無線情報通信システムの送受信形態を説明する為の構成例を示すブロック図である。
【図３】従来技術による無線情報通信システムの基本構成例を示すブロック図である。
【符号の説明】
１００  多周波数無線情報通信基地局
１０１  アンテナ
１０２  信号増幅装置
１０３  無線送受信装置
１０４  情報信号変復調装置
１０５  基準動作周波数発生装置
１０６  集中制御装置
１０７  情報記憶装置
１０８  合成出力制限装置
１０９  温度検出装置
１１０  補助制御装置
２００  多周波数無線情報通信基地局
２０１  信号増幅装置
２０２  無線送受信装置
２０３  情報記憶装置
２０４  温度検出装置
２０５  合成出力制限装置
２０６  集中制御装置
２０７  演算装置
２０９  情報信号変復調装置
２１０  基準動作周波数発生装置
３００  多周波数無線情報通信基地局
３０１  アンテナ
３０２  信号増幅装置
３０３  無線送受信装置
３０４  情報信号変復調装置
３０５  基準動作周波数発生装置
３０６  集中制御装置
【図１】
0004213845.tif 000002
【図２】
0004213845.tif 000003
【図３】
0004213845.tif 000004